(57)【要約】      （修正有）【課題】１ｍｌ未満または０．５ｍｌ未満から下は数マイクロリットルまでの半固体状あるいはペースト状の調剤を手操作で、もしくは自動的に注射することができる注射器を提供する。【解決手段】半固体状の調剤を非経口的に注射するための注射器に関するものであり、該注射器が、プランジャーと針のハブとの間に、注射すべき該半固体状の物質のためのリザーバを形成する中空の部材を含み、該ハブは、該リザーバ形成部材内に含有されていた用量が注射されたときに、プランジャーが該ハブと直接的に接触するように、該リザーバの端部と接触状態におかれており、そして、リザーバを形成する該部材と該針とが、リザーバを形成する該部材を受け容れるマウントまたはケースを通じて該ハブで相互にインターロックされ、保持されていることを特徴とするものである。【選択図】なし【特許請求の範囲】
【請求項１】
半固体状の調剤を非経口的に注射するための注射器であって、該注射器が、プランジャ（２）と針（３）の台座（４）との間に、注射すべき前記半固体状の調剤を含有するためのリザーバ（１）を形成する中空の部材を有し、前記台座は前記リザーバ（１）の一方の端部と接触状態に置かれており、従って、前記リザーバ形成中空部材に含有されている用量の注射が終了すると、前記プランジャ（２）と前記台座（４）との直接的な接触がもたらされ、リザーバ（１）を形成する前記中空部材と前記針（３）が、リザーバ（１）を形成する前記部材を収容する支持具またはケーシング（５、７）により、前記台座（４）において相互に保持結合されている注射器において、
前記支持具またはケーシング（５、７）が前記リザーバ（１）を僅かな間隙で、もしくは間隙を伴わずに取り囲んでおり、それにより直接前記台座（４）に対してリザーバ形成中空部材を軸方向にクランプ固定すると共に、前記支持具またはケーシング（５、７）は該クランプ固定や半固体状調剤の投与に帰因する圧力に対してリザーバを補強することを特徴とする注射器。
【請求項２】
注入が予定される用量の薬剤が予め充填されることを特徴とする請求項１に記載の注射器。
【請求項３】
前記台座（４）が前記リザーバ（１）の一方の端部に導入されることを特徴とする請求項１又は２に記載の注射器。
【請求項４】
前記リザーバ形成中空部材すなわちリザーバ（１）は円筒状を為しており、前記注射器の保護及び機械的な抵抗性、特には圧力に対する抵抗性をもたらす前記支持具またはケーシングからなる中空体（５）の内側に導入され、ロックされることを特徴とする請求項１に記載の注射器。
【請求項５】
前記円筒状のリザーバ（１）が、一定の内径及び外径を有するまっすぐな中空のチューブであることを特徴とする請求項１〜４の何れか１項に記載の注射器。
【請求項６】
前記リザーバ（１）の内径が、前記リザーバに延びる前記針（３）の内側の孔の内径に近いか、あるいはその内径と等しいことを特徴とする請求項５に記載の注射器。
【請求項７】
前記針を収容する側の前記リザーバ（１）の端部に向けて、一様な円錐状または漏斗状の狭まりが設けられていることを特徴とする請求項１〜６の何れか１項に記載の注射器。
【請求項８】
前記針（３）の内径が０．２ｍｍから１．２ｍｍまでの範囲にあり、また、前記リザーバ（１）の内径、従って、前記注射器のプランジャ（２）の直径が０．２ｍｍから５ｍｍまでの範囲にあることを特徴とする請求項１〜７の何れか１項に記載の注射器。
【請求項９】
前記プランジャ（２）のストロークが、１〜１０μｌ、最大で５００μｌまでの容量を注射するため、７ｃｍの最大長を有していることを特徴とする請求項８に記載の注射器。
【請求項１０】
前記リザーバ（１）の外径が標準化され、特には６ｍｍに標準化されており、これにより前記様々な内径を提供できるように為されていることを特徴とする請求項８又は９に記載の注射器。
【請求項１１】
前記リザーバ（１）が２本のチューブ（１、３２）からなり、内圧に対する抵抗性を高めるため、１本のチューブがもう一方のチューブ内に配置されていることを特徴とする請求項５〜１０の何れか１項に記載のチューブ状のリザーバを有する注射器。
【請求項１２】
前記チューブ状のリザーバ（１）が２本以上のチューブ（２７、２８）からなり、１本のチューブが別のチューブの後ろ側に配置され、特には異なる容量の投与を可能にする注射器の形成を容易にするため、それらのチューブが前記ケーシングにより所定位置に保持されることを特徴とする請求項５〜１０の何れか１項に記載のチューブ状のリザーバを有する注射器。
【発明の詳細な説明】
【発明の属する技術分野】
【０００１】
本発明は、通常の注射剤の如き液体でもなければ、インプラントの如き固体でもなく、以下では半固体状の調剤として参照されるペースト状または非常に粘性の高い状態の薬剤または他の調剤の注射による非経口的な投与に関するものである。
【従来の技術】
【０００２】
非経口的注入用の針により液体を非経口的に注入するための注射器には多くの様々な形態のものがある。しかし、これらの注射器は、実際上、半固体状の調剤を非経口的に投与するためには使用することができない。
【０００３】
インプラント等の固体状の調剤を非経口的に投与するための装置もいろいろなものが知られている。これらの装置は直径が比較的大きなトロカールを使用し、そして、例えばトロカールを引き戻すことによりトロカールからその調剤を駆出できるようにするための駆出手段を伴っている。他の投与手段はカテーテルを使用するものである。
【０００４】
また、セメントまたは他の材料を齲窩に沈着させることができる歯科学におけるペースト状の物質を投与すべく意図された注射器も既知である。そのような注射器の例が米国特許第４，１２１，５８７号及び第５，６０３，７０１号に開示されている。それらの特許公報にはある注射器本体が記載されており、その注射器本体内では、ペースト状の物質を駆出するのに必要な力を下向きに伝達するための相補的な固定のネジ部を通過するネジ切りされたロッドをベースとしたプランジャ移動手段により、針を通じてそのペースト状の物質を駆出するため、プランジャが移動する構成を有している。
【発明の開示】
【発明が解決しようとする課題】
【０００５】
しかし、これらの注射器は非経口的な注入をすべての場合に適切に行えるものではなく、それがすべてのパーツを特別に設計したものであるか、あるいは、通常の注射器本体と共に使用すべく設計されたエレメントを有するものであるかに関わらず、それらの構成は非常に複雑であり、このことは、それらの注射器が多重使用に適したものではなく、特には、使い捨て式または再使用が不可能な注射器あるいはカルプルの形態であることを意味している。
【０００６】
本発明の一つの目的は、これらの欠点を改善し、そして、好適には例えば１ｍｌ等の概して少量の、特には１ｍｌ未満または０．５ｍｌ未満から下は数マイクロリットルまでの半固体状あるいはペースト状の調剤を手操作で、もしくは自動的に注射することができる注射器を提供することである。
【０００７】
本発明の別の目的は、特には米国特許第５，５９５，７６０号に開示されているような制御放出型の調剤を含む半固体状の生薬調剤の投与を容易化することである。
【０００８】
本発明の別の目的は、実際に送達される用量と沈着部位の位置との両者を高い正確度に維持した状態で、例えば皮下注射、皮内注射、または筋肉注射等の通常の方法を用いて、そのような調剤を注射することができる注射器を提供することである。
【０００９】
本発明の別の目的は、非常に低コストで大量生産できるように、これらの注射器を極めて単純な形態で提供することである。
【００１０】
本発明の別の目的は、投与すべき半固体状の調剤の事前充填を極めて簡単に行えるようにすることである。
【００１１】
本発明の別の目的は、容量により各調剤毎に特定のエレメントを生産する必要性を最小化することにより、異なる調剤量または可変的な調剤量の非経口的な投与を可能にする注射器アセンブリを提供することである。
【００１２】
本発明の更に別の目的は、薬剤を非経口的に投与する場合に一般的に使用されるガラス、金属、または、ポリエチレンあるいはポリプロピレン等のプラスチックの如き広く知られた通常の材料を用いて、直径の小さな針を通じてペースト状の調剤を射出する際に注射器にかかる大きな力に耐え得る注射器を生産することである。
【００１３】
本発明の別の目的は、針の端部が脈管の内腔を穿通していないことを操作者がチェックできるような、半固体状物質を投与するための注射器を提供することである。
【００１４】
本発明の更に別の目的は、注射するまさにその瞬間まで針が無菌状態であることを保証できるような、特には半固体状の調剤を投与するための注射器を提供することである。これらのうちの幾つかの目的、もしくはすべての目的は、本発明の様々な実施態様により達成することができる。
【課題を解決するための手段】
【００１５】
本発明の第一の実施態様では、本発明の主題は、半固体状の調剤を非経口的に注射すべく意図された注射器、好適には余すことなく送達されるある用量の調剤が予め充填された注射器であって、該注射器は、プランジャと針の台座との間に位置し、注射すべき半固体状の調剤を含有するためのリザーバ（調剤収容部）を形成する中空のエレメントを含んでおり、該針の台座は、例えば一方の端部を介して該リザーバ内へ導入されることにより、該リザーバ形成エレメントの一方の端部との接触がもたらされ、従って、該リザーバ形成エレメントに含有れている該用量の注射の終了時には該プランジャと該台座との直接的な接触がもたらされ、そして、該リザーバ形成エレメントと該針は、該リザーバ形成エレメントを収容する支持具またはケーシングにより該台座で相互に保持結合される。
【００１６】
好適には、外辺のシェルを形成する該支持具またはケーシングは、該リザーバ形成エレメントの外面を僅かな間隙で、もしくは実質的な間隙を伴わずに取り囲んでおり、従って、後者は、半固体状の調剤の注射及び圧縮中に発生しがちな高圧による損傷を受けることなく、薄い壁及び／又は強度の低い材料で造ることができる。
【００１７】
好適には、該リザーバ形成エレメント（以後、リザーバと記す）は円筒状を為しており、該支持具またはケーシングからなる中空体の内側へ挿入され、ロックされる。従って、特には圧力に対する該注射器の保護及び機械的な抵抗性をもたらすのはケーシングである。
【００１８】
一つの特に好適な実施態様では、該円筒状のリザーバは、一定の内径及び外径を有するまっすぐな中空のチューブであってよい。
【００１９】
このケースでは、リザーバの内径は、リザーバにつながる針の内側の孔の内径に近いか、あるいはその内径と丁度同じであることが好ましい。リザーバの内径が針の孔の内径よりも大きい場合には、その針を収容する側のリザーバの端部に向けて、一様な円錐状または漏斗状の狭まりを設けるのが有利である。そのテーパ角度は、例えば、１２０゜未満であろう。
【００２０】
一般的に、注射すべきペースト状の調剤を含有する注射器の円筒状のリザーバは、必要な容量に応じてできるだけ小さな直径を有していることが好ましい。
【００２１】
半固体状の調剤の粘度及びその容量に応じて、特には０．２ｍｍから１．２ｍｍまでの範囲の針の内径を想定することができる。好適には、リザーバの内径も、従って注射器のプランジャの直径も、０．２ｍｍから５ｍｍまでの範囲で変動するであろう。そのときには、７ｃｍの最大長さを有するプランジャ・ストロークを用いて、１乃至１０μｌ、最大で５００μｌまでの容量を注射することができよう。リザーバの外径は例えば６ｍｍまたは７ｍｍに標準化されていてよく、これにより、先述の様々な内径をもたらすことができる。
【００２２】
リザーバがチューブ状を為しているケースでは、内圧に対する抵抗性を高めるため、リザーバを２本のチューブで構成し、１本のチューブをもう一方のチューブ内に配置してもよい。
【００２３】
別の実施態様では、そのようなチューブ状のリザーバを２本もしくはそれ以上のチューブで構成して、１本のチューブを別のチューブの後ろ側に配置し、ケーシングによりこの配置を保持してもよく、そのような実施態様の場合には、特に、異なる容量の投与を可能にする注射器の形成を容易化することができる。
【００２４】
プランジャロッドに固定されていてもよく、もしくは固定されていなくてもよいプランジャは、好適には、該プランジャがその注射終了位置に達したときに使用されずに残留する容量をできるだけ少なくするため、針の台座の形状、もしくは、針と同一の側にあるリザーバの端部の形状と適合する形状を有している。注射器が円錐台形または漏斗状の端部を有している場合には、プランジャがそれと相応する形状を有していることが有利である。
【００２５】
更に、リザーバチューブの一定の直径及び一定の長さ、及び、恐らくは、リザーバチューブとケーシング部材との間にクランプされるべく意図された針の台座の一定の直径及び一定の長さが決まりさえすれば、調剤用量の全範囲をカバーするように提供される複数のリザーバに対して同一のケーシングを使用することができる。
【００２６】
本発明に係る注射器の一実施例は、支持体すなわちケーシングが内圧に対してリザーバを補強する作用を成し、及び／又は、ケーシングがリザーバとの間で注射針をクランプする作用を成すものであり、例えば台座とリザーバとの間もしくはプランジャとリザーバとの間にシールを使用しないでシール問題を解決するために、あるいは、半固体状の調剤から所定の距離にシールを取り付け、リザーバと台座もしくはプランジャとの間に極僅かな調剤の損失を伴う狭い隙間を形成することによってシール問題を解決するために、有利且つ有益に使用することができる。また、同時に、調剤を保存するために、保存中、貯蔵中、注射中において、シールを形成しながら、注射針の台座およびプランジャを、同一の材料、好ましくは注射針と同じ材料、例えばステンレス・スチールによって形成することが有益である。すなわち、例えば、リザーバ、台座、プランジャといった全ての構成部材がステンレス・スチールによって形成されている場合には、あるいは、リザーバがガラスチューブの形態を成していれば、ガラスおよびスチールによって形成されている場合には、調剤と注射器との間の接触は、実質的に或いは完全に、ステンレス・スチールに限定しても良い。
【００２７】
注射針の台座およびプランジャは、同じ材料、例えばステンレス・スチールによって形成されていることが望ましい。
【００２８】
血管内への注射の危険を避けるために、半固体状の調剤を注射するための装置、特に本発明に係る前述した装置は、血液が血管から引き出されるかどうかをチェックできる手段を有していることが望ましい。これは、液体の調剤の場合に行なわれるようにプランジャを引くことなく、達成される。
【００２９】
第１に、好ましくない解決策は、カテーテル注射針、すなわち、非経口的な刺入を目的とし且つ正確な注射のための第２の注射針をその孔内に有する注射針を、装置に取り付けることである。この場合、外側に開口している領域であれば、２つの注射針間の空間によって、血液を毛細管作用によって引き出すことができる。このような解決策は、注射針の直径および長さが増大するため、好ましくない。
【００３０】
装置は、操作者が視認できる領域を備えた通路を有していることが望ましい。この場合、操作者が視認できる前記領域は、注射針の内孔に連通するとともに、注射針が血管ルーメン内に刺入された際には毛細管作用もしくは真空或いは血圧によって血液の視認を可能にする。
【００３１】
血液がそれ自身の圧力下で或いは毛細管作用によって引き出される場合には、血液の流れを可能にするものの半固体調剤の流れを実質的に不可能にするような圧力低下を形成する通路によって、注射針の内孔を外気に連通させる対策が講じられる。
【００３２】
そのような実施例においては、例えば０．３ｍｍよりも小さい直径を有する小径孔を注射針の壁部に形成しても良い。これによって、血液が引き出される状態を見ることができる。しかしながら、このような解決策は、実現が困難であることから、望ましくない。
【００３３】
第２の実施例において、注射針からの血液の通路は、リザーバ内に形成されたチャンバ内に通じていても良く、また、長尺な圧力低下通路、例えば注射針の台座に設けられたネジとリザーバの透明壁の補助的な面との間に形成された螺旋状の通路を有していても良い。適切な場合には、このネジは血液表示領域で終端しており、このネジの端部は、小径孔によって直接に或いは表示領域を介して、外気と連通している。
【００３４】
非常に有益な他の実施例において、注射針の内部および注射器の内部は真空圧下に維持され、血液の引き出しが圧力差によって表示領域に現れる。この場合、表示領域は、前述したネジの形態を成しているか、もしくは、大気と連通するネジを備えている。
【００３５】
有益な実施例において、注射針は、キャップ、パッケージあるいは他の収縮可能、変形可能、折り畳み可能な保護部材によって覆われていても良い。このような保護部材は、注射針を外部から隔離するとともに、注射時には注射針によって穿孔され、注射針の非経口的な刺入時には、注射針の大部分の長さにわたって、好ましくは注射針の全長にわたって移動される。
【００３６】
そのような穿孔可能な保護部材によって、注射器の内部を真空下に維持することができる。保護部材が設けられた注射器を操作者が皮膚に押し当ててプランジャを押圧すると、注射針は、保護部材を穿孔して、真空損失を実質的に生じることなく、表皮に刺入される。その結果、血管ルーメン内への刺入時には、血液が注射針内に引き込まれて前述したように表示領域へと導かれる。
【００３７】
このようなパッケージは、例えば、注射針の周囲で或いは注射針にシールされるプラスチックによって形成されたチューブもしくは袋から成る。
【００３８】
注射針を外部から完全に隔離するこのような非常に薄いパッケージは、例えばヒートシールによって、注射針の端部で任意にシールされても良い。これにより、注射針の端部もしくは斜面がプラグの形態で閉じられる。この場合、装置は、従来の液体注射のために使用できる。
【００３９】
毛細管作用によって生じ得る血液の引き出しを見ることが望まれる場合には、圧力低下通路を外気に接続する孔をパッケージの内部に連通させて、非無菌雰囲気と注射針の内部とを実際に連通させないようにする対策を講じても良い。
【００４０】
パッケージすなわち保護部材が、非常に柔らかく、従って、壊れやすいチューブまたは袋体によって形成される場合には、一般的な保護のために、取り外し可能な硬いキャップを設けても良い。このようなキャップは、このパッケージすなわち保護部材の上部に配置される。
【００４１】
そのようなパッケージすなわち保護部材は、他の機能として、リザーバ内の非水和状態の調剤を真空パッケージするために、注射器内を真空に維持できても良い。その後、液状の注射媒体を収容するリザーバや袋内に注射針を押し込むことによって、水和を生じさせることができ、所望量の液体を調剤に戻して、調剤を半固体状にすることができる。
【００４２】
注射器を形成する各種の部材が装着される前に、リザーバを予め充填することが特に望ましい。この事前充填は、所定量の調剤をプランジャと注射針との間の空間全体に充填して、注射前に注射器を清浄する必要性を無くすように成されることが特に有益である。薬物の粘度によっては、プランジャを引き戻して吸引し、注射領域をチェックする手の動きを避ける必要があるかもしれない。これは、薬物内にキャビテーションを形成する作用を成し、同質でない薬物の沈殿物を生じさせる虞がある。この場合、プランジャに接続されていないプランジャロッドが使用される。
【００４３】
このような充填は、調剤の種類、すなわち、半固体状の調剤や、半固体状態に成り得る調剤、例えば、同時もしくは連続的にリザーバ内に導入される粉末と半固体状のペーストを形成できる液体とから形成される調剤に応じて行なわれても良い。
【００４４】
充填は、プランジャもしくは隔壁によって一時的に塞がれるチューブすなわちリザーバの一方の端部に充填ノズルを接続する工程により実現されることが有益である。その後、調剤の充填時に前記プランジャもしくは隔壁が取り外された後、前記チューブすなわちリザーバは、その端部に配置される注射針の台座によって塞がれる。
【００４５】
これにより、どのような半固体調剤であっても、同じ工程および同じ充填装置を使用することが可能になる。
また、本発明は、本発明に係る装置を使用した非経口注射によって半固体調剤を投与する工程に関する。
【００４６】
そのような工程においては、注射領域で血液の引き込みが無いことを確認するために、注射針を刺入した後、暫くの間、半固体状の調剤を排出することを待つことが望ましい。
また、本発明の他の効果および特徴は、添付図面を参照しながら、例示として示す以下の実施例により、明らかになる。
【発明の実施の形態】
【００４７】
図１は、半固体状の調剤を投与するための注射器を示している。この注射器はケーシング部材１を備えており、ケーシング部材１は、例えばガラス、又はポリエチレン又はポリプロピレンプラスチックによって形成され、断面が円形の円筒形状を有する管状部品の形態を成している。ケーシング部材１内では、プランジャ２が移動できる。従来のタイプの注射針３が台座４に固定されている。台座４は、注射針３が貫通する部位に、細い円筒形部分に繋がる径方向フランジを有している。注射針の孔は図示されていない。台座４は、そのフランジ部がリザーバチューブ１の端部に圧接されるまで、リザーバチューブ１の端部内に押し込められる。流体が特に粘性を有している場合でも、流体の流れを促進して、注射の終端でプランジャ２が台座と密着して隙間（死空間）の発生が抑えられるように、図の断面で見られる台座は、プランジャ２の近傍に、プランジャ２の凸状の円錐端部と略一致する凹状の円錐台形状を有している。リザーバチューブ１と台座４を有する注射針３とから成るアセンブリは、管状の第１のケーシング部材５内に押し込められる。第１のケーシング部材５の前端部６は閉じられており、この前端部には、注射針３の直径よりも大きい直径を有する中央通路が設けられている。ケーシング部材５の長さは、該アセンブリが部材５内に押し込められた際に、チューブ１の後端が部材５の下端から極僅かに突出するような長さになっていても良い。
【００４８】
ケーシングは、第２のケーシング部材であるカップ形状を成すカップ部材７を有している。カップ部材７は、チューブ１の内径と略同一の直径を有する中央通路を有するとともに、横方向タブすなわち指当て部を有している。カップ部材７は、例えば相補的なネジ山によって、部材５にねじ込まれている。ねじ込みの終端で、チューブ１の後端がカップ形状のカップ部材７の底部に圧接されるとともに、チューブ１の前端が台座４のフランジ部をケーシング部材５の底部６に対して当て付け、また、組み立てられたアセンブリの無菌状態がシール８によって確保され、結果として、注射針とリザーバとが互いに軸方向に固定されて移動不可能となる。
【００４９】
このシール８は図１のように配置されても良い。このように配置されると、チューブ１と本体５との間の隙間や、台座４とこれに対応するチューブ１の端部との間の隙間に通じる通路の形成を防止でき、チューブ１と本体５との間の隙間を無菌化する必要がなくなる。
【００５０】
支持面１０で終端するプランジャロッド９は、好ましくはその直径がチューブ１の内径よりも僅かに小さいロッド９の前端がプランジャ２に当接するまで、組み立てられた注射器内に押し込まれる。したがって、ロッド９が押し込まれると、ロッド９は、プランジャ２に固定されることなく、プランジャ２を押し進める。これにより、プランジャと台座との間の空間１１内に収容された調剤を吐き出すことができる。
【００５１】
無菌化のため、着脱自在なキャップ１２を設けても良い。
【００５２】
ここで説明した注射器は予め有利に充填されていても良い。このような事前充填は、既に半固体状態が得られた調剤を使用して、例えば、ペーストが形成できるように有効成分の粉末を液体と混合することによって実現されても良い。また、充填は、フランス特許出願第９６／０６８８６号に開示されているように、注射直前に再びペースト状に水和させることができる乾燥粉末を使用して実現されても良い。
【００５３】
事前充填は、以下の方法によって実現されることが望ましい。組み立てられていない状態の管状のリザーバ１は、その上端部すなわち台座４を収容する端部に位置決めされたプランジャ２を受ける。この端部は、ペースト状の調剤を供給するノズルと対向するように配置される。ノズルは、所望の量の調剤を供給し、これにより、プランジャ２が最終位置に達してペースト状の調剤が空間１１内に完全に充填されるまで、プランジャ２をチューブ内に漸進的に押し戻す。次に、台座４がこの端部内に押し込まれ、アセンブリが本体５，７内に嵌め込まれる。
【００５４】
あるいは、チューブは、注射針とそのキャップとを支持する中空体すなわちケーシング内への挿入時に、予めパッケージに包まれてシールされ、そのアセンブリが第２のパッケージ内に一緒に保持されても良い。
【００５５】
このようにして、半固体状の調剤を収容してその後注射できる注射器が製造される。この注射器は、非常に構造が簡単であり、また、従来の注射器と比べて低コストな部材から成る。使用される材料は、プラスチック、ガラス、又は金属から成っていても良い。注射器の部材の全ては、残留物が調剤と接触する問題を生じ易い接着、クリップ固定、ネジ固定を用いることなく組み立てられる。また、注射器は、使用後に、完全に分解することができる。
【００５６】
半固体状の調剤及びその容積に起因して、この注射器は、力を低減（ギアダウン）する任意の機構を使用することなく手動で扱うことができる。すなわち、端部１０を親指で押してロッド９を移動させることにより、最大５０Ｎの力、好ましくは３０Ｎよりも少ない力で、注射を手動で行なうことができる。
【００５７】
製品の硬さや、注射される容量、あるいは、注射針の直径に起因して、３０Ｎを超える力あるいは５０Ｎをも超える力が必要な場合には、本発明に係る注射器に補助装置を有利に設けても良い。
【００５８】
図２は、カップ部材７と交換可能なカップ状の部品１３を示している。このカップ状の部品１３は、ケーシング部材５の端部に同様の方法でねじ込むことができるとともに、ネジ付きのプランジャロッド１５が螺合可能なネジ付きの通路１４を有している。ネジ付きのロッド１５を回転させてこのロッド１５をチューブ１内で移動させるだけで、プランジャ２を押し進めて調剤を吐き出すことができる。このような力の低減（ギアダウン）によって、２００Ｎ級の力を引き出すことができる。また、ネジのピッチにより、一部分量だけを目盛りで正確に投与することができる。
【００５９】
２つのケーシング部材５と７または１３とが十分に強度のある材料によって形成されていれば、チューブ１、プランジャ２、台座４は、それ程変形や亀裂を生じることなく、非常に高い圧力に耐えることができる。
【００６０】
図３はギアダウンの他の形態を示している。この形態において、第２のケーシング部材１６は、ネジ無しの孔を有するとともに、ケーシング部材５の外面の雄ネジに螺合可能な雌ネジを内面に有している。また、第２のケーシング部材１６は第２の雄ネジを外面に有しており、この第２の雄ネジには、ブッシュもしくはスリーブの形態を成し且つ内面に雌ネジが形成された部材１７が螺合することができる。ブッシュまたはスリーブには、その内側に、プランジャロッドとして作用する円柱状のロッド１８が設けられている。部材１７を部材１６の外面の雄ネジに螺合すると、部材１７が移動されてプランジャが押し進められ、ミリメートル級の移動および対応する目盛りによって、注射および正確な調量を行なうことができる。
【００６１】
図４は、部材１３に良く似た第２のケーシング部材１９が横方向アーム２０を有し且つプランジャロッド２１が横方向アーム２２で終端している装置を示している。使用者は、２つのアーム２０，２２を手で握持して全ての力を出すことができる。
【００６２】
図５は、後側に変位した横方向アーム２４を備える第２のケーシング部材２３を概略的に示している。横方向アーム２４にはレバー２５が蝶着されており、レバー２５の一端部をアーム２４と一緒に手で握持することができる。また、レバー２５の他端部はプランジャロッド２６に蝶着されている。したがって、レバーの作用により、必要な力を低減することができる。
【００６３】
図１に示された注射器は、調剤の事前充填の終端でのプランジャ２の位置を異ならせることにより、異なる量の半固体状調剤を収容することができる。注射すべき量が僅かな場合には、ケーシング５，７を変更しなくても、外径が同じで内径が小さいチューブ１を使用することができる。この場合、台座４およびプランジャ２は変更される。
【００６４】
図６は、僅かな量を注射できる他の実施例を示している。この実施例において、ケーシング部材５の内部空間は、１つのチューブによって占められておらず、２つの連続するチューブのアセンブリによって占められている。具体的には、第１のリザーバチューブ２７は、非常に小さな直径を有しており、台座２９を有する注射針２８まで延びている。小径のプランジャ３０は、チューブ２７の後部から突出するロッド３１の押し込み力により、チューブ２７内で移動できる。チューブ２７は、同一の外径を有し且つ大きな内径を有する第２のチューブ２８と並列されている。チューブ２８内ではプランジャロッド９が移動できる。図１に示された注射器と同様に、カップ部材７は、チューブ２７，２８を互いに接触させるように保持して、アセンブリを結合させる。
【００６５】
図７は他の実施例を示している。この実施例では、大径のチューブ１を使用して僅かな量の調剤を収容するため、予め充填される調剤によって満たされる適当なリザーバを形成するように、注射針３の台座３２が、チューブ１内で長い距離にわたって延びている。プランジャは、例えば、チューブ１内に突出し且つ所定の位置でプランジャを保持する隔壁３５を貫通する金属ロッド３４の形態を成していても良い。
【００６６】
また、図６および図７で説明した実施例は、注射針の孔の内径と等しいか或いは僅かに異なっている、例えば注射針の孔の内径よりも僅かに大きい内径のリザーバの製造に特に良く適合する。
【００６７】
また、注射針の端部の面取り傾斜面で終端し且つプランジャを形成する小径のロッドが貫通可能な単一の管状部品によって、リザーバおよび注射針を構成することも考えられる。この場合、プランジャは、その移動経路の端部すなわち注入行為の最後で、注射針の前側の自由端近傍に達して、注射針の内側に調剤を実質的に残さないように構成されていることが望ましい。
【００６８】
図８は、図１に係る注射器の詳細な実施例を示している。
【００６９】
しかしながら、この実施例において、第２のケーシング部材はカップ部材７を有していない。すなわち、部品５の外面の雄ネジ山３７にリング３６が固定され、リング３６は指当て部３８を有している。チューブ１は、ネジもしくはクリップ固定によって部品５の端部に固定されたプラグ３９によって、所定位置に保持されている。
【００７０】
図９は、図８に示された装置と類似するが、部品３６が設けられていない装置を示している。部品３６の代わりに、内面に雌ネジが形成されたブッシュ形状の部品４０が部材５のネジ山３７に螺合されるように構成されている。ブッシュ形状の部品４０の底部４１は、プランジャロッド９の端部１０に圧接することができる。これらは、ブッシュ４０がネジ山３７にねじ込まれて移動される際には、様々な位置をとって、プランジャを押し進めるとともに、半固体状の調剤を注射することができる。これらのネジのネジ山は、例えば３０秒の注入時間を超えないように形成される。この場合、台座４とリザーバ１との間にシールが配置されることは言うまでもない。アセンブリを締結すると、シールの圧縮が得られ、無菌状態を確保できる。リザーバ（ガラス）の長手方向での正確さが欠ける場合には、力を測定するネジ機構を設けることが望ましい。
【００７１】
この時、注射時に装置を安定させるため、本体５の前端部に、指当て部もしくは他の握持手段４２を有利に設けても良い。
【００７２】
血管内への注射の危険を避けるために、リザーバと注射針とプランジャとを備える半固体調剤を注射するための本発明に係る装置は、真空を形成し且つ空洞形成の危険を冒さないために、プランジャを後方に引き戻すことなく、注射領域をチェックできるように形成されることができる。
【００７３】
図１０は、そのような構成を達成できる注射針の台座の実施例を示している。
【００７４】
注射針３を収容する台座４３は、台座４と同様に、チューブ１の端部に当接する外周フランジ４４と、チューブ内に挿入される延在部４５とを有している。延在部４５の端部は、透明なチューブ１と対向しており、流れを最適化できるようにプランジャの前端のテーパに対応する円錐形状を有している。この延在部４５は、ネジ山４６すなわち螺旋状の溝をその表面に有しており、ネジ山４６とチューブ１の対応内面との間に空隙を形成することができる。孔４８は、この螺旋状の通路によって形成された空隙４９を外気に連通させる。このように、チューブ１の内部は、孔４８と、ネジ山４６によって規定され且つ制御された圧力低下をもって細長い通路を形成する螺旋状の空隙４９とによって、外気と連通する。注射針３の内孔との連通は、例えば、ペースト状の調剤５１と台座４３との間に小さな空隙５０を残すことによって、あるいは、ネジ山４６の内側端部を注射針の内部空間に連通させるように台座を貫通する孔によって、果たされても良い。
【００７５】
チューブ１および本体５は透明材料によって形成されているため、注射針が血管に突き刺さった場合には、血液は、血圧によって注射針の孔を通じて引き出され、空間５０内、ネジ山４６の螺旋状の通路内、あるいは、空間４７内に収容された空気を吐き出して空気と取って代わる。この場合、血液の到達を広い領域にわたって見ることができる。
【００７６】
注射のために調剤がプランジャによって押し進められると、僅かな量の調剤がネジの螺旋状の隙間に入り込むが、それは、小さな流路断面と長さが長い隙間とに起因する圧力低下によって急速に抑えられる。
【００７７】
一例が図１１〜図１５に示されている。
【００７８】
注射器の分野においては、無菌パッケージする時および注射器が使用される時の両方において注射針を保護する着脱可能なキャップによって注射針を取り囲むことが一般的に行われている。しかしながら、キャップを取り付けてから注射するまでの間に注射針の無菌状態を保つ方法が存在しない。この問題は、前述した半固体調剤注射器や他の任意のタイプの注射器においては、注射針の周囲に柔軟なパッケージを設けることによって解決可能である。前記柔軟なパッケージは、注射針の１つの部材、例えば注射針の台座もしくはリザーバを形成する部材の前側部分に、密閉されたシール状態で固定されることが望ましく、注射開始時に注射針によって穿孔され、その後、注射針が注射領域の組織内に刺入される際に、収縮され、すなわち、圧縮される。
【００７９】
このような覆いは、覆いと注射針との間に僅かな空間を残すことが望ましい。
また、この注射針の覆いの存在により、注射針の内部と注射針が注射器のリザーバ内に突出する空間とが真空下に維持されることが特に好ましい。
【００８０】
これにより、注射針が血管に突き刺された際には、血液を注射針内に急速に引き込んだ後にこの目的のために設けられた表示領域内に引き込む吸引作用を提供することができる。
【００８１】
特に、図１１は、その一端が台座４の内側の面にシールされた薄いプラスチック製のチューブキャップ５２を示している。このチューブキャップは、台座４のこの内側の面から延びる注射針３の部位を取り囲んでいる。このチューブは、それ自身、注射針の先端を取り囲む領域５３内でシールされている。
【００８２】
変形例として、このチューブキャップを着脱自在にして、注射針を開放できるようにしても良い。しかしながら、他の変形例として、このチューブは、注射器が患者の表皮に押し当てられてその端部５３が注射針によって穿孔された際に、変形して収縮されるように形成されていても良い。
【００８３】
特に図１２および図１３に示されるように、注射針を密接して取り囲むそのようなチューブの代わりに、非常に薄いプラスチック製のパッケージ５４を設けても良い。このパッケージ５４の一端は、台座４を密閉シールした状態で取り囲んでいる。また、パッケージ５４の他端部５５は閉じられている。このような袋体は、例えば図１３に示されるように、注射針３と袋体それ自身との間に非常に小さな空間５６を形成する断面形状を有していても良い。
【００８４】
注射器の内側、したがって、袋体の内側および空間５６は、真空下で包装されることが望ましい。
注射を行なう場合には、図１４に示されるように、袋体の底部５５は注射針３の先端によって穿孔され、注射針が押し進められるにつれて、パッケージ５４が表皮に圧接されて収縮される。皮膚を突き刺すために袋体を貫通する注射針の通路は、注射針が血管に刺入される際に血液が注射針を通じて吸引されて表示領域に達するように、真空を破壊してはならない。前記表示領域は、例えば、リザーバ内の注射針の出口と一部分量の半ペースト状の調剤との間に形成された自由空間、あるいは、注射針の内部に連通する任意の他の可視領域である。前記可視領域は、例えば領域４９と類似する領域であるが、この領域は外気に連通してはならないため、４８のような孔がない。
【００８５】
図１５は、注射針のパッケージが台座４のフランジと注射器本体５の底部との間にシール状態でクランプされている本発明に係る注射器を概略的に示している。この場合、注射針のパッケージは、柔軟であり、注射針を取り囲む屈曲可能なプラスチックであることが望ましい。この台座４は、リザーバチューブ１内に入る部位に、ネジ山４６に類似するが外気に開口しないネジ５８を有している。組立体は、カップ部材７によって、所定位置に保持されている。カップ部材７は、チューブ１の後端の周囲に、チューブ１とケーシング５との間で真空シールを形成する環状シール５９から成る介挿体を有している。
【図面の簡単な説明】
【００８６】
【図１】プランジャロッドを引き抜いた状態における本発明の第１の実施例に係る注射器の長手方向断面の概略図である。
【図２】本発明の変形例に係るネジ付きプランジャおよび後側ケーシング部品の概略図である。
【図３】プランジャロッドおよび後側ケーシング部品の他の構成を示す概略断面図である。
【図４】プランジャロッドおよび後側ケーシング部品の他の構成であって、力を低減するための構成を示す概略断面図である。
【図５】プランジャロッドおよび後側ケーシング部品の他の構成であって、プランジャロッドがレバー機構から分離されている状態を示す概略断面図である。
【図６】２つの連続する管状部材を備えた他の実施例に係る注射器の概略断面図である。
【図７】２つの同軸な管状部材を備えた本発明の他の実施例の概略断面図である。
【図８】本発明の一実施例に係る注射器の更に詳細な断面図である。
【図９】力を低減する随意的な手段を備えた注射器の他の実施例の更に詳細な断面図である。
【図１０】血液の引き込みの表示が可能な本発明に係る注射器の前端部の部分断面図である。
【図１１】管状の覆いを有する本発明に係る注射器の注射針の概略図である。
【図１２】袋状の覆いを有する本発明に係る注射器の前端部の概略図である。
【図１３】図１２の覆い及び注射針の断面図である。
【図１４】注射時における図１２の覆い及び注射針の概略図である。
【図１５】注射針を保護する覆いを有する本発明に係る他の実施例の概略断面図である。
【符号の説明】
【００８７】
１．．．リザーバチューブ
２．．．プランジャ
３．．．注射針
４．．．台座
５，７．．．ケーシング部材
８．．．シール
９．．．ロッド
１３．．．カップ部材（第２ケーシング部材）
１５．．．ロッド
１６．．．カップ部材（第２ケーシング部材）
１７．．．ねじ切りブッシュ
１８．．．ロッド
４６．．．ねじ
４８，４９．．．孔（空隙）
５２．．．チューブキャップ
５４．．．パッケージ
【図１】
2008272500.tif 000002
【図２】
2008272500.tif 000003
【図３】
2008272500.tif 000004
【図４】
2008272500.tif 000005
【図５】
2008272500.tif 000006
【図６】
2008272500.tif 000007
【図７】
2008272500.tif 000008
【図８】
2008272500.tif 000009
【図９】
2008272500.tif 000010
【図１０】
2008272500.tif 000011
【図１１】
2008272500.tif 000012
【図１２】
2008272500.tif 000013
【図１３】
2008272500.tif 000014
【図１４】
2008272500.tif 000015
【図１５】
2008272500.tif 000016